(57)【要約】【課題】機械室レス形式のエレベータのように作業スペースが狭い場合でも、効率よく経済的にロープを交換できるエレベータの主ロープ交換装置の提供。【解決手段】乗りかご４、つり合いおもり５を昇降路１上部、下部でそれぞれ保持するワイヤ１４およびジャッキサポート１５と、新ロープ１７を送り出すロープ送り出しドラム２４と、このドラム２４と略同一軸上に連結され、ロープ６を巻き取るロープ巻き取りドラム２５と、ロープ６の一端を新ロープ１７の一端に接続するロープ接続部１８と、ロープ６の中間部に係合するロープ案内具２３とを備えた。これにより、ロープ６、１７に所定張力を付加しながら、巻上機７の駆動力を使用せず新ロープ１７を自重で送り出してロープ６を巻き取る。【選択図】　　　　図１
2004091208.tif 000002
【特許請求の範囲】
【請求項１】
両端が昇降路上部のロープ固定部にそれぞれ連結されるとともに、中間部がつり合いおもりに設けられるおもりプーリと、乗りかごの下部に設けられるかご下プーリと、巻上機の巻上シーブとに順次掛回される複数本のロープの交換を行なうエレベータの主ロープ交換方法において、
前記乗りかごを前記昇降路上部で保持し、前記つり合いおもりを前記昇降路の下部で保持する工程と、前記複数本のロープの内少なくとも２本以上のロープの一端を前記ロープ固定部から離して交換用の新ロープの一端に接続する工程と、前記新ロープを送り出すロープ送り出しドラムと前記ロープの他端側を巻き取るロープ巻き取りドラムとを同一方向に回転するように連結し、前記ロープの他端を前記ロープ固定部から取り外して前記ロープ巻き取りドラムに前記新ロープの前記ロープ送り出しドラムへの巻き付け方向と逆方向に巻くように接続する工程と、前記ロープの中間部に係合するロープ案内具を移動可能に設ける工程と、前記ロープ案内具により前記ロープ送り出しドラムから前記ロープ巻き取りドラム間の前記ロープと新ロープに所定のテンションを付加するとともに、前記新ロープを送り出すことにより回転するロープ送り出しドラムの回転力で前記ロープ巻き取りドラムを回転させて前記ロープの他端側を巻き取ることによって、前記ロープと前記新ロープを交換する工程とを含むことを特徴とするエレベータの主ロープ交換方法。
【請求項２】
前記巻上機のシーブから前記ロープの中間部を取り外した後、この取り外したロープの中間部に前記ロープ案内具を係合させるようにしたことを特徴とする請求項１に記載のエレベータの主ロープ交換方法。
【請求項３】
両端が昇降路上部のロープ固定部にそれぞれ連結されるとともに、中間部がつり合いおもりに設けられるおもりプーリと、乗りかごの下部に設けられるかご下プーリと、巻上機の巻上シーブとに順次掛回される複数本のロープの交換を行なうエレベータの主ロープ交換装置において、
前記乗りかごを前記昇降路の上部で保持する乗りかご保持部と、前記つり合いおもりを前記昇降路の下部で保持するおもり保持部と、交換用の新ロープを送り出すロープ送り出しドラムと、このロープ送り出しドラムと略同一軸上に連結され、前記ロープを巻き取るロープ巻き取りドラムと、前記複数本のロープの内少なくとも２本以上のロープの一端を前記新ロープの一端に接続するロープ接続部と、前記ロープまたは新ロープの中間部に係合する移動可能なロープ案内具とを備えたことを特徴とするエレベータの主ロープ交換装置。
【請求項４】
前記ロープ送り出しドラムの外径を、前記ロープ巻き取りドラムの外径より小さく設定したことを特徴とする請求項３に記載のエレベータの主ロープ交換装置。
【請求項５】
前記ロープ案内具を、前記複数本のロープ毎にそれぞれ独立して移動可能に設けたことを特徴とする請求項３または４に記載のエレベータの主ロープ交換装置。
【請求項６】
前記ロープ案内具は、前記ロープまたは前記新ロープを案内するプーリと、このプーリを回転可能に支持する回転軸と、前記プーリの外側の略回転面内に前記回転軸から延設したおもり部材とを有することを特徴とする請求項３、４、５のいずれかに記載のエレベータの主ロープ交換装置。
【請求項７】
前記ロープ案内具は、前記昇降路内に敷設された索状体またはガイドレールと係合する係合部材を有することを特徴とする請求項６に記載のエレベータの主ロープ交換装置。
【請求項８】
前記ロープ案内具に前記おもり部材を着脱可能に設けたことを特徴とする請求項６または７記載のエレベータの主ロープ交換装置。
【発明の詳細な説明】
【０００１】
【発明の属する技術分野】
本発明は、乗りかごおよびつり合いおもりを駆動する複数本のロープの交換を行なうエレベータのロープ交換方法および装置に関する。
【０００２】
【従来の技術】
従来、機械室を有する２：１ローピング形式のエレベータにあっては、つり合いおもりを昇降路下部で支持体を配置して保持し、乗りかごを昇降路上部で吊り上げ手段により吊り上げた後、ロープ保持装置をつり合いおもりの上方に配置して既設の主ロープを保持し、次いで、このロープの端部をロープ止め金具から切り離して端部にドラムより繰出した新設の主ロープを接続し、かご側の端部をロープ止め金具から切り離して端部をドラムに取り付け、次に、巻上機を低速で作動させて既設の主ロープをドラムに巻き取るとともに、ドラムから新設の主ロープを送り出して順次掛け回した後、新設の主ロープのかご側の端部を既設の主ロープから切り離してロープ止め金具に接続し、新設の主ロープの他端も他のロープ止め金具に接続するエレベータの主ロープ交換方法が提案されている。（特許文献１参照）
また近年、省スペースのニーズから、巻上機が昇降路内の上部または下部に設置される機械室レス形式のエレベータが提案されている。（特許文献２，３参照）
【０００３】
【特許文献１】
特開平２−２４９８８５号公報
【０００４】
【特許文献２】
特表平１０−５０６８７１号公報
【０００５】
【特許文献３】
特開平１１−１３０３６５号公報
【０００６】
【発明が解決しようとする課題】
ところで、上述した従来のエレベータの主ロープ交換方法では、乗りかごおよびつり合いおもりの荷重がロープにかかっていない状態では新設の主ロープを送り出す駆動力を得られないことから、実際には巻上機のシーブとロープの間で摩擦力を得られるようにロープを押さえ付ける装置を設置しなければならない。
【０００７】
また特に、上記の主ロープ交換方法を機械室レス形式のエレベータに適用する場合、この機械室レスエレベータでは狭い昇降路の中で作業を行なう必要があるとともに、シーブの回りにもスペースが必要なことから、その取り付け作業が困難であり、作業効率が悪いだけでなく装置費用がかかることから経済的にも問題がある。なお、機械室があるエレベータでは、ロープ交換の際の作業スペースとして機械室内のスペースが利用できることから、ロープ押さえ付け装置を巻上機に自由に取り付けることができる。
【０００８】
本発明は、上記のような従来技術における実情に鑑みてなされたもので、その目的は、機械室レス形式のエレベータのように作業スペースが狭い場合でも、効率よく経済的に主ロープ交換を行なうことのできるエレベータの主ロープ交換方法および装置を提供することにある。
【０００９】
【課題を解決するための手段】
上記目的を達成するため、本発明の請求項１に係る発明は、両端が昇降路上部のロープ固定部にそれぞれ連結されるとともに、中間部がつり合いおもりに設けられるおもりプーリと、乗りかごの下部に設けられるかご下プーリと、巻上機の巻上シーブとに順次掛回される複数本のロープの交換を行なうエレベータの主ロープ交換方法において、前記乗りかごを前記昇降路上部で保持し、前記つり合いおもりを前記昇降路の下部で保持する工程と、前記複数本のロープの内少なくとも２本以上のロープの一端を前記ロープ固定部から離して交換用の新ロープの一端に接続する工程と、前記新ロープを送り出すロープ送り出しドラムと前記ロープの他端側を巻き取るロープ巻き取りドラムとを同一方向に回転するように連結し、前記ロープの他端を前記ロープ固定部から取り外して前記ロープ巻き取りドラムに前記新ロープの前記ロープ送り出しドラムへの巻き付け方向と逆方向に巻くように接続する工程と、前記ロープの中間部に係合するロープ案内具を移動可能に設ける工程と、前記ロープ案内具により前記ロープ送り出しドラムから前記ロープ巻き取りドラム間の前記ロープと新ロープに所定のテンションを付加するとともに、前記新ロープを送り出すことにより回転するロープ送り出しドラムの回転力で前記ロープ巻き取りドラムを回転させて前記ロープの他端側を巻き取ることによって、前記ロープと前記新ロープを交換する工程とを含む構成にしてある。
【００１０】
また、上記目的を達成するため、本発明の請求項３に係る発明は、両端が昇降路上部のロープ固定部にそれぞれ連結されるとともに、中間部がつり合いおもりに設けられるおもりプーリと、乗りかごの下部に設けられるかご下プーリと、巻上機の巻上シーブとに順次掛回される複数本のロープの交換を行なうエレベータの主ロープ交換装置において、前記乗りかごを前記昇降路の上部で保持する乗りかご保持部と、前記つり合いおもりを前記昇降路の下部で保持するおもり保持部と、交換用の新ロープを送り出すロープ送り出しドラムと、このロープ送り出しドラムと略同一軸上に連結され、前記ロープを巻き取るロープ巻き取りドラムと、前記複数本のロープの内少なくとも２本以上のロープの一端を前記新ロープの一端に接続するロープ接続部と、前記ロープまたは新ロープの中間部に係合する移動可能なロープ案内具とを備えた構成にしてある。
【００１１】
このように構成した本発明では、乗りかごおよびつり合いおもりをそれぞれ昇降路の上部と下部で保持し、ロープ接続部を介してロープの一端を新ロープの一端に接続して、巻上機の駆動力を使用せず、新ロープの自重によるロープ送り出しドラムの回転力を利用して既設のロープを巻き取るにより、この既設のロープを移動させながら新ロープに交換する。その際に、これらのロープにロープ案内具で所定のテンションを付加することにより、ロープの緩みを防止する。これによって、巻上機のシーブにロープ押さえ付け装置を取り付ける必要がなくて済むので、機械室レス形式のエレベータのように作業スペースが狭い場合でも、効率よく経済的に主ロープ交換を行なえる。
【００１２】
【発明の実施の形態】
以下、本発明のエレベータの主ロープ交換方法および装置の実施の形態を図に基づいて説明する。
【００１３】
図１は本発明の一実施形態に係るエレベータの主ロープ交換方法を示すフローチャート、図２は本実施形態に係るエレベータの主ロープ交換装置を示す縦断面図、図３は本実施形態により乗りかごおよびつり合いおもりを保持する工程を示す縦断面図、図４は本実施形態によりロープを新ロープに接続する工程を示す縦断面図、図５は本実施形態の主ロープ交換装置に設けられるロープ接続部の平面図、図６は図５のロープがプーリに巻掛けられた状態を示す説明図、図７は本実施形態の主ロープ交換装置に設けられるドラム体の説明図、図８は本実施形態の主ロープ交換装置に設けられるロープ案内具の説明図である。
【００１４】
図２〜図４に示すエレベータは、昇降路１の全行程に渡り立設されるガイドレール２と、このガイドレール２により案内され、昇降路１の階床３ａ、３ｎ間を昇降する乗りかご４と、この乗りかご４と相対して昇降路１内を昇降するつり合いおもり５と、これらの乗りかご４およびつり合いおもり５を吊り上げるロープ６と、昇降路１の底部１ａに設置され、ロープ６を駆動する巻上機７とを備えている。
【００１５】
図３に示すように既設のロープ６は、一端６ａが昇降路１の頂部１ｂ付近にロープ固定部９で連結されるとともに、ロープ６の中間部が、乗りかご４の下部に取付けられるかご下プーリ４ａと、昇降路１の頂部１ｂ付近の上部ビーム８に設けられる転向プーリ８ａと、巻上機７の巻上シーブ７ａと、上部ビーム８に設けられる他の転向プーリ８ｂと、つり合いおもり５の上部に設けられるおもりプーリ５ａとに順次掛回されて、ロープ６の他端６ｂが昇降路１の頂部１ｂ付近に他のロープ固定部１０で連結されている。また、昇降路１の底部１ａ、頂部１ｂにそれぞれガバナマシン１１、ガバナプーリ１２が設置され、これらのガバナマシン１１およびガバナプーリ１２にガバナロープ１３が巻き掛けられている。
【００１６】
そして、本実施形態の主ロープ交換装置は、図２に示すように、乗りかご４を昇降路１の頂部１ｂ近傍で保持する乗りかご保持部、例えばワイヤ１４と、つり合いおもり５を昇降路１の底部１ａ近傍で保持するおもり保持部、例えばジャッキサポート１５と、昇降路１の階床３ｎに設置されるドラム体１６と、複数本のロープ６の内少なくとも２本以上のロープ６の一端６ａを交換用の新ロープ１７の一端１７ａに接続するロープ接続部１８と、上部ビーム８の両端にそれぞれワイヤ１９、２０を介して仮設される仮設滑車２１、２２と、ロープ６の中間部に係合するロープ案内具２３とを有している。
【００１７】
ドラム体１６は、図７に示すように、新ロープ１７を送り出すロープ送り出しドラム２４と、既設のロープ６を巻き取るロープ巻き取りドラム２５とが略同一軸上に連結され、これらのドラム２４、２５がドラムベース２６に設けられる回転軸２７により同一方向へ回転可能に支持されている。このドラム体１６では、ロープ送り出しドラム２４に新ロープ１７を全て巻き付けた状態での新ロープ１７の外周部の直径（すなわち外径）Ｄａよりも、ロープ巻き取りドラム２５のロープ６を巻き付けていない状態での直径Ｄｂのほうが大きく設定されている。
【００１８】
図５に示すようにロープ接続部１８の直径Ｄは、ロープ６と新ロープ１７の各直径ｄ以上となるとともに、この直径Ｄは、図６に示すように、かご下プーリ４ａ、およびおもりプーリ５ａのロープ溝２８と外れ止め２９との隙間δ未満となるように設定されている。
【００１９】
図８に示すようにロープ案内具２３は、複数本のロープ６がそれぞれ巻掛けられるプーリ３０と、これらのプーリ３０を回転軸３１を介して回転可能に支持するブラケット３２と、回転軸３１の一端に取付けられ、隣合う他のブラケット３２に移動可能に連結される連結部材３３と、ブラケット３２の下部に設けられ、プーリ３０の外側の略回転面内に回転軸３１から延設したおもり部材３４と、図２、４に示すようにガバナロープ１３に係合する係合部材３５とから構成されている。これにより、複数のプーリ３０がそれぞれ独立して上下可能であり、この状態で各プーリ３０を介して複数本のロープ６におもり部材３４からの荷重がそれぞれ付与されている。
【００２０】
本実施形態の主ロープ交換方法にあっては、図１に示す作業手順にしたがって既設のロープ６を新ロープ１７に交換するようになっている。すなわち、まず手順Ｓ１として、図３に示すように昇降路１の頂部１ｂ付近で既設のロープ６の端部６ａ、６ｂを外す作業と交換後の新ロープ１７の固定作業を行なえる位置に乗りかご４の上部４ｂがくるように乗りかご４を停止させ、その位置でレールブラケット２ａよりワイヤ１４を介して乗りかご４を保持し、手順Ｓ２として、つり合いおもり５の下部にジャッキサポート１５を設置し、つり合いおもり５の荷重がロープ６にかからなくなるようにジャッキサポート１５でつり合いおもり５を上昇させて保持する。
【００２１】
次に手順Ｓ３として、図４に示すように、昇降路１の底部１ａで巻上機７のシーブ７ａからロープ６の掛かりを外してロープ案内具２３に掛け替えることにより、複数本のロープ６にそれぞれ所定の張力を付与し、手順Ｓ４として、ロープ６の一端６ａを昇降路１の頂部１ｂのロープ固定部９から外して、ロープ送り出しドラム２４から新ロープ１７の一端１７ａを取り出し、例えば上部ビーム８よりワイヤ１９で吊下げた仮設滑車２１を介して掛け回して昇降路１の階床３ｎに引き出すとともに、この階床３ｎに設置したドラム体１６のロープ送り出しドラム２４から新ロープ１７の一端１７ａを取り出してロープ接続部１８を介してロープ６の一端６ａと接続する。
【００２２】
次に手順Ｓ５として、図２に示すように、ロープ６の他端６ｂを昇降路１の頂部１ｂのロープ固定部１０から外し、例えば上部ビーム８にワイヤ２０で吊下げた仮設滑車２２を介して掛け回して昇降路１の階床３ｎに引き出すとともに、ロープ６の他端６ｂをドラム体１６のロープ巻き取りドラム２５に接続する。その際に、このロープ巻き取りドラム２５に、新ロープ１７のロープ送り出しドラム２４への巻き付け方向と逆方向にロープ６の一端６ｂを巻くように接続する。
【００２３】
次いで手順Ｓ６として、新ロープ１７の自重によりロープ送り出しドラム２４に回転力が加わると、この回転力が回転軸２７を介してロープ巻き取りドラム２５に伝達され、このロープ巻き取りドラム２５がロープ送り出しドラム２４と同方向に回転させられる。この回転力を利用して新ロープ１７をロープ送り出しドラム２４から送り出しながら、既設のロープ６をロープ巻き取りドラム２５に巻き取ることにより、ロープ６が通るかご下プーリ４ａ、転向プーリ８ａ、シーブ７ａ近傍に設けたロープ案内具２３のプーリ３０、転向プーリ８ｂ、およびおもりプーリ５ａを介する全ての部分において新ロープ１７に置換えるようになっている。
【００２４】
このとき、ロープ送り出しドラム２４にはあらかじめ新ロープ１７が必要長さ分巻き付けられているため、ロープ送り出しドラム２４が１回転で送り出される新ロープ１７の長さ（Ｌａ）は、ロープ送り出しドラム２４に新ロープ１７を全て巻き付けた状態での新ロープ１７の外周部の直径をＤａとすると、Ｌａ＝Ｄａ×円周率となる。一方、ロープ巻き取りドラム２５には既設のロープ６がまだ巻かれていないため、ロープ巻き取りドラム２５が１回転で巻き取れるロープ６の長さ（Ｌｂ）は、ロープ巻き取りドラム２５の直径をＤｂとすると、Ｌｂ＝Ｄｂ×円周率となる。また、ロープ巻き取りドラム２５の直径Ｄｂは、ロープ送り出しドラム２４に巻き付けた状態での新ロープ１７の外周部の直径Ｄａよりも大きくしていることから、ロープ巻き取りドラム２５が１回転で巻き取れるロープ６の長さＬｂがロープ送り出しドラム２４が１回転で送り出される新ロープ１７の長さＬａより大きくなり（Ｌｂ＞Ｌａ）、新ロープ１７の送り出し速度よりもロープ６の巻き取り速度のほうが速くなっている。その結果、ロープ送り出しドラム２４からエレベータの各部のプーリを通ってロープ巻き取りドラム２５まで戻ってくる間のロープ長さがドラムの回転と共に短くなり、図２に示すように、その分ロープ案内具２３が当初の位置よりも上昇する。
【００２５】
次いで手順Ｓ７として、既設のロープ６を全てロープ巻き取りドラム２５に巻取った時点で、新ロープ１７の一端１７ａをロープ接続部１８から切離し、昇降路１の頂部１ｂのロープ固定部１０に端末処理をして連結する。このとき、ロープ案内具２３は巻上機７のシーブ７ａから離れた位置まで上昇しているため、ロープ送り出しドラム２４に巻かれている残りの新ロープ１７をロープ送り出しドラム２４を回転させながら送り出し、ロープ案内具２３を下降させる。その後、手順Ｓ８として、昇降路１の底部１ａにてロープ案内具２３から巻上機７のシーブ７ａに新ロープ１７を掛け替え、ロープ案内具２３を取外した後、手順Ｓ９として、新ロープ１７を所定長さに切断、端末処理して昇降路１の頂部１ｂのロープ固定部９に連結し、手順Ｓ１０として、乗りかご４およびつり合いおもり５の保持状態を解除することで交換作業を完了する。
【００２６】
このように構成した本実施形態では、ロープ６を交換するときのロープ移動の抵抗となる巻上機７のシーブ７ａ部分に、抵抗の少ない簡単な構造のロープ案内具２３を別に設け、巻上機７の駆動力を使用せず、既設のロープ６を移動させながら新ロープ１７に交換するので、巻上機７のシーブ７ａにロープ押さえ付け装置を取り付ける必要がなく、機械室レスエレベータのように作業スペースが狭い場合でも、効率よく経済的に主ロープ交換を行なえる。
【００２７】
また、本実施形態では、ロープ送り出しドラム２４からエレベータの各部のプーリを通ってロープ巻き取りドラム２５まで戻ってくる間のロープ長さがドラムの回転と共に短くなり、その分ロープ案内具２３が当初の位置よりも上昇することにより、ロープ長さの変化を吸収できるとともに、常にロープ６および新ロープ１７に一定のテンションがかかった状態を保つことができ、ロープ交換作業を容易に行なえる。なお、もしロープ巻き取りドラム２５の直径Ｄｂがロープ送り出しドラム２４に巻き付けた状態での新ロープ１７の外周部の直径Ｄａよりも小さく設定されている場合には、ロープ送り出し速度のほうがロープ巻き取り速度よりも大きいため、余分な新ロープ１７が送出されてロープ６が弛んでしまうこととなり、ロープ交換作業が非常に煩雑なものとなってしまう。
【００２８】
また、本実施形態では、複数本のロープ６を同時に交換する場合にドラム体１６への各ロープ６、１７の巻き付け誤差が発生するが、ロープ案内具２３がロープ毎に独立して移動可能な構成としていることから、ロープテンションをロープ毎に均一にかけることができ、その結果、複数本のロープ６の同時交換を容易に行なえる。
【００２９】
また、本実施形態では、ロープ接続部１８の直径Ｄを、おもりプーリ５ａおよびかご下プーリ４ａのロープ溝２８とロープ外れ止め２９との隙間δ以下となるように接続してあることから、ロープ６と新ロープ１７は各プーリ４ａ，５ａにおいてロープ外れ止め２９を取外すことなく通過することができる。さらに、ロープ接続部２１の直径Ｄはロープ６と新ロープ１７の直径ｄ以上となるように接続してあることから、ロープ溝２８から外れることなくロープ交換が可能である。
【００３０】
なお、上記実施形態では、乗りかご４をレールブラケット２ａよりワイヤ１４で吊り下げ保持する構成で述べたが、他の構成であっても乗りかご４を昇降路１の頂部１ｂに保持できればよく、例えば乗りかご４の非常止め装置等を使用して保持した場合でも同様の効果がある。
【００３１】
さらに、上記実施形態では、つり合いおもり５をジャッキサポート１５にて保持する構成についても、同様に他の構成であってもつり合いおもり５を昇降路１の底部１ａに保持してロープ６のテンションを緩ませることができればよく、例えばチェーンブロック等の揚重機にてレールブラケット等に吊り下げて保持する構成としても同様の効果がある。
【００３２】
さらに、上記実施形態では、３本のロープ６の交換を同時に行なう場合に用いられるドラム体１６およびロープ案内具２３を例として示したが、ロープの本数は３本に限定するものではなく、他のロープ本数であっても本発明の一実施形態と同様の効果があることは明白である。
【００３３】
さらに、上記実施形態では、ロープ案内具２３の水平方向の位置規制手段としてガバナロープ１３に係合する係合部材３５を設ける構成としたが、乗りかご４のガイドレール２またはつり合いおもり５のガイドレール（図示せず）に係合する係合部材でも同様の効果があり、本発明に含まれる。
【００３４】
さらに、上記実施形態では、ロープ交換時のロープ６の移動方向が乗りかご４のかご下プーリ４ａから入り、つり合いおもり５のおもりプーリ５ａから引き出すように説明したが、逆方向に行なう場合においても同様の効果があり本発明に含まれる。
【００３５】
さらに、上記実施形態では、ドラム体１６を上部の階床３ｎに設置した場合で説明したが、乗りかご４の上部４ｂにドラム体１６を配置する場合であっても同様の効果があり、本発明に含まれる。
【００３６】
次に、上述の図８に示すロープ案内具とは異なるロープ案内具を図に基づいて説明する。
【００３７】
図９は図８に示すロープ案内具とは異なるロープ案内具を示す説明図、図１０は図９のＡ−Ａ断面図、図１１は図９に示すロープ案内具からおもり部材を取り外した状態を示す説明図である。
【００３８】
上述のロープ案内具２３と異なるロープ案内具２３Ａは、図９に示すように、複数本のロープ６がそれぞれ巻掛けられるプーリ３０と、これらのプーリ３０を回転軸３１を介して回転可能に支持するブラケット３２と、回転軸３１の一端に取付けられ、隣合う他のブラケット３２に移動可能に連結される連結部材３３と、ブラケット３２の下部に設けられ、プーリ３０の外側の略回転面内に回転軸３１から延設したおもり部材３４と、図２、４に示すようにガバナロープ１３に係合する係合部材３５とから構成されている。このロープ案内具２３Ａの構成は、上述のロープ案内具２３と同様であり、したがって、複数のプーリ３０がそれぞれ独立して上下可能であり、この状態で各プーリ３０を介して複数本のロープ６におもり部材３４からの荷重がそれぞれ付与されている。
【００３９】
特に、ロープ案内具２３Ａでは、図９〜１１に示すように、おもり部材３４がブラケット３２に着脱可能に設けてある。すなわち、ブラケット３２の下部に、おもり部材３４を載置する載置部３２ｂを設けてあり、この載置部３２ｂに上方に向かって突出する柱状の保持部３２ａを設けてあるとともに、おもり部材３４の下面に保持部３２ａを挿入する穴３４ａを設けてある。これにより、おもり部材３４は、穴３４ａに保持部３２ａが挿入された状態で、載置部３２ｂに載置されて、ブラケット３２に保持されるようになっている。
【００４０】
このように構成されたロープ案内具２３Ａでは、巻上機７のシーブ７ａから他のロープ案内具２３Ａへのロープ６の掛け替えを、次のようにして行なう。
【００４１】
はじめに、図１０に示すようにおもり部材３４をブラケット３２から取り外した状態のロープ案内具２３Ａの各プーリ３０に、巻上シーブ７ａから取り外した複数本のロープ６のそれぞれを巻掛ける。このとき、連結部材３３がブラケット３２に係合するようにはめ込みながら各ロープ６を各プーリ３０に巻掛けるようにする。そして、各おもり部材３４を、各ブラケット３２の保持部３２ａに挿入しつつ、載置部３２ｂに載置する。
【００４２】
このようにロープ案内具２３Ａは、巻上機７のシーブ７ａからロープ案内具２３Ａへのロープ６の掛け替えを行なう際、おもり部材３４をブラケット３２から取り外した状態、すなわち、ロープ案内具２３Ａをおもり部材３４分軽くした状態で扱えるので、巻上機７のシーブ７ａからロープ案内具２３Ａへのロープ６の掛け替えを容易に行なうことができる。
【００４３】
なお、ロープ案内具２３Ａでは、着脱ブラケット３２の下部に設けた載置部３２ｂおよび柱状の保持部３２ａと、おもり部材３４に設けた穴３４ａとによって、おもり部材３４をブラケット３２に対して着脱可能する構造を構成してあるが、おもり部材３４をブラケット３２に対して着脱可能する構造はこれに限定するものではない。例えば、ブラケット３２にフック状の部分を設けて、このフック状の部分におもり部材３４を吊り下げる構造にしてもよい。
【００４４】
また、ロープ案内具２３Ａでは、複数のおもり部材３４のすべてをブラケット３２に対して着脱可能してあるが、複数のおもり部材３４の一部を着脱可能にしてもよい。
【００４５】
【発明の効果】
以上説明したように本発明では、新ロープの自重によるロープ送り出しドラムの回転力を利用してロープを巻き取ることにより、巻上機の駆動力を使用せず、既設のロープを移動させながら新ロープに交換するので、巻上機のシーブにロープ押さえ付け装置を取り付ける必要がなくて済み、機械室レス形式のエレベータのように作業スペースが狭い場合においても効率よく経済的に主ロープ交換を行なえる。
【図面の簡単な説明】
【図１】本発明の一実施形態に係るエレベータの主ロープ交換方法を示すフローチャートである。
【図２】本実施形態に係るエレベータの主ロープ交換装置を示す縦断面図である。
【図３】本実施形態により乗りかごおよびつり合いおもりを保持する工程を示す縦断面図である。
【図４】本実施形態によりロープを新ロープに接続する工程を示す縦断面図である。
【図５】本実施形態の主ロープ交換装置に設けられるロープ接続部の平面図である。
【図６】図５のロープがプーリに巻掛けられた状態を示す説明図である。
【図７】本実施形態の主ロープ交換装置に設けられるドラム体の説明図である。
【図８】本実施形態の主ロープ交換装置に設けられるロープ案内具の説明図である。
【図９】図８に示すロープ案内具とは異なるロープ案内具を示す説明図である。
【図１０】図９のＡ−Ａ断面図である。
【図１１】図９に示すロープ案内具からおもり部材を取り外した状態を示す説明図である。
【符号の説明】
１　昇降路
２　ガイドレール
４　乗りかご
４ａ　かご下プーリ
５　つり合いおもり
５ａ　おもりプーリ
６　ロープ
７　巻上機
７ａ　巻上シーブ
９、１０　ロープ固定部
１３　ガバナロープ（索状体）
１４　ワイヤ（乗かご保持部）
１５　ジャッキサポート（おもり保持部）
１６　ドラム体
１７　新ロープ
１８　ロープ接続部
２３　ロープ案内具
２４　ロープ送り出しドラム
２５　ロープ巻き取りドラム
３０　プーリ
３１　回転軸
３２　ブラケット
３３　連結部材
３４　おもり部材
３５　係合部材
【図１】
2004091208.tif 000003
【図２】
2004091208.tif 000004
【図３】
2004091208.tif 000005
【図４】
2004091208.tif 000006
【図５】
2004091208.tif 000007
【図６】
2004091208.tif 000008
【図７】
2004091208.tif 000009
【図８】
2004091208.tif 000010
【図９】
2004091208.tif 000011
【図１０】
2004091208.tif 000012
【図１１】
2004091208.tif 000013